(57)【要約】　　　（修正有）【課題】プラグソケットの構造を簡略にして、使用部品の点数の削減、組付け作業性の向上を図る。【解決手段】プラグ嵌合部１１と高圧筒嵌合部１２とをゴムの連結筒部１３で一体に連結し、上記連結筒部の内周に、段差１４によって大径部１３ａと小径部１３ｂを上下に設け、この連結筒部の内周に、上記大径部１５ａと小径部１５ｂに嵌合する大径部１５ａと小径部１５ｂとを上下に備え、且つ高圧端子に下から接触する上部コイルバネ１７ｂ及び点火プラグの頂部電極に上から接触する下部コイルバネ１７ｃを内臓した段差付き合成樹脂パイプ１５を圧入し、上記合成樹脂パイプの段差１６を連結筒部の内周の段差１４に当接して上記連結筒部の内周に段差付き合成樹脂パイプを固定する。【選択図】　　　図１
2004022481.tif 000002
【特許請求の範囲】
【請求項１】
シリンダブロックのプラグホールの底に貫通して取り付けられた点火プラグの頂部電極を有する碍子部に上から被さる筒形のゴム製プラグ嵌合部、上記プラグホールの上に位置してシリンダブロックに固定された点火コイルの、下端に高圧端子を有し、上記プラグホール中に上から浅く突入する下向きの高圧筒に下から被さる筒形のゴム製高圧筒嵌合部とを備え、点火コイルの高圧端子に誘起された高電圧を点火プラグに供給する内燃機関のプラグソケットにおいて、上記プラグ嵌合部と高圧筒嵌合部とをゴムの連結筒部で一体に連結し、上記連結筒部の内周に、段差によって大径部と小径部を上下に設け、この連結筒部の内周に、上記大径部と小径部に嵌合する大径部と小径部とを上下に備え、且つ上記高圧端子に下から接触する上部コイルバネ及び上記点火プラグの頂部電極に上から接触する下部コイルバネを内臓した段差付き合成樹脂パイプを圧入し、上記合成樹脂パイプの段差を連結筒部の内周の段差に当接して上記連結筒部の内周に段差付き合成樹脂パイプを固定したことを特徴とする内燃機関のプラグソケット。
【発明の詳細な説明】
【０００１】
【発明の属する技術分野】
この発明は、シリンダブロックの外に固定された点火コイルの、プラグホールの中に浅く突入した下向きの高圧筒の下端の高圧端子に誘起された高電圧を、シリンダブロックのプラグホールの底に貫通して固定された点火プラグの頂部電極に供給するための内燃機関のプラグソケットに関する。
【０００２】
【従来の技術】
上記のように、点火コイルの高圧端子に誘起された高電圧をプラグホールの底に固定された点火プラグの頂部電極にプラグソケットで供給することは本特許出願人の特開２０００−２９４４３４号公報によって公知である。
【０００３】
【発明が解決しようとする課題】
上記公開公報に記載されたプラグソケットは、点火プラグの碍子部に上から被さるプラグ嵌合部と、点火コイルの高圧筒に下から被さる高圧筒嵌合部を夫々ゴムで別々に成形し、これらを合成樹脂のパイプなどの両端部に連結するため製造、組立てに非常に手数がかかる。このため、図３に示すようにプラグソケットをゴムで一連に成形したものも公知であるが、プラグソケットを成形する際、そのプラグ嵌合部１１と高圧筒嵌合部１２とを連結する連結部の中心に、上下の両端に大径部２２、２４を有する金属の導電棒材２１を貫通して保持させねばならないので成形が面倒である。又、上端の大径部２２には点火コイルの高圧端子に下から弾力的に接触するコイルバネ２３、下端の大径部２４には点火プラグの頂部電極に上から弾力的に接触するコイルバネ２５を、夫々ビス２６などを使って固定する必要があり、部品点数が多いと共に、組立てに手数がかかる。更に、ノイズ低減用の抵抗を連結部中に設けようとしても導電棒材が貫通しているので不可能である。
【０００４】
【課題を解決するための手段】
本発明は、上述した問題点を解消するために開発されたもので、シリンダブロックのプラグホールの底に貫通して取り付けられた点火プラグの頂部電極を有する碍子部に上から被さる筒形のゴム製プラグ嵌合部、上記プラグホールの上に位置してシリンダブロックに固定された点火コイルの、下端に高圧端子を有し、上記プラグホール中に上から浅く突入する下向きの高圧筒に下から被さる筒形のゴム製高圧筒嵌合部とを備え、点火コイルの高圧端子に誘起された高電圧を点火プラグに供給する内燃機関のプラグソケットにおいて、上記プラグ嵌合部と高圧筒嵌合部とをゴムの連結筒部で一体に連結し、上記連結筒部の内周に、段差によって大径部と小径部を上下に設け、この連結筒部の内周に、上記大径部と小径部に嵌合する大径部と小径部とを上下に備え、且つ上記高圧端子に下から接触する上部コイルバネ及び上記点火プラグの頂部電極に上から接触する下部コイルバネを内臓した段差付き合成樹脂パイプを圧入し、上記合成樹脂パイプの段差を連結筒部の内周の段差に当接して上記連結筒部の内周に段差付き合成樹脂パイプを固定したことを特徴とする。
【０００５】
【発明の実施の形態】
図１は本発明の第１実施例、図２は同じく第２実施例を示し、これらはプラグ嵌合部１１、高圧筒嵌合部１２、連結筒部１３からなる中空の中継絶縁筒体１０をゴムで一体に成形してある。
【０００６】
上端が高圧筒嵌合部１２，下端がプラグ嵌合部１１に連通した連結筒部の内周の途中に段差１４を設け、段差から上は大径部１３ａ、下は小径１３ｂとする。例えば、大径部１３ａの内径は１０ｍｍ、小径部１３ｂの内径は８ｍｍである。
【０００７】
連結筒部１３の内周に対応して、途中の段差１６から上が太くて上記連結筒部の大径部１３ａの内周に圧入でき、段差１６から下が細くて上記連結筒部の小径部１３ｂの内周に圧入できる段差付き合成樹脂パイプ１５を成形し、この段差付き合成樹脂パイプ１５を小径部１５ｂから中継絶縁筒体１０の高圧筒嵌合部を通じ連結筒部１３の内周に圧入する。
【０００８】
段差付き合成樹脂パイプ１５の段差１６が連結筒部１３中の段差１４に当接すると、それ以上の圧入は不可能になり、段差付き合成樹脂パイプの段差１６から上の大径部１５ａは連結筒部１３の大径部１３ａの内周に嵌合し、段差から下の小径部１５ｂは連結筒部の小径部１３ｂの内周に嵌合し、こうして段差付き合成樹脂パイプ１５は中継絶縁筒体の連結筒部１３中に固定される。
【０００９】
図１の実施例では１本のコイルバネ１７を連結筒部１３の内周に貫通し、このコイルバネ１７により点火コイルの高圧端子に誘起された高電圧を点火プラグの頂部電極に供給する。このためコイルバネ１７には連結筒部１３の大径部１３ａ内周に嵌合し、下端が段差１６に当接する密な巻回部１７ａを中央部に設けて上記大径部１３中に位置させ、この密な巻回部１７ａの上下にバネを引き伸ばして直径を減少させた小径部１７ｂ、１７ｃを設け、上の小径部１７ｂを高圧筒嵌合部１２中に突入させて高圧端子に下から弾力的に接触できるようにし、下の小径部１７ｃはプラグ嵌合部１１中に突入させて点火プラグの頂部電極に上から弾力的に接触できるようにしてある。
【００１０】
上記コイルバネ１７は中央部の密な巻回部１７ａの外周が連結筒部の大径部１３ａの内周に摩擦接触していること、その密な巻回部１７ａの下端が合成樹脂パイプ１５の段差１６に上から当接していることにより上記パイプ１５中に保持される。
【００１１】
図２の実施例では、上端部の密な巻回部１８ａを段差付き合成樹脂パイプ１５の大径部１５ａに保持されたコイルバネ１８を下向きに引き伸ばして小径部１８ｂとし、この小径部がプラグ嵌合筒１１中に突入して点火プラグの頂部電極に接触するようになっている。このコイルバネ１８は、上の密な巻回部１８ａの外周が連結筒部の大径部１３ａの内周に摩擦接触していること、その密な巻回部１８ａの下端が合成樹脂パイプ１５の段差１６に上から当接していることにより上記パイプ１５中に保持される。
【００１２】
合成樹脂パイプ１５の大径部１５中には、コイルバネ１８の密な巻回部１８ａの上に位置してノイズ低減用の抵抗１９が接触し、その上に、上端部が高圧筒嵌合部１２中に下から突入して高圧端子と接触する第２のコイルバネ２０が設けてある。この抵抗１９とコイルバネ２０とは導電性のあるキャップを介して固定される。つまりキャップ内に抵抗を固定し、キャップ外にコイルバネを固定する。
【００１３】
【発明の効果】
以上で明らかなように、本発明ではゴム製のプラグ嵌合部と高圧筒嵌合部とを一体に連結する連結筒部の内周に段差を設け、上記段差に当接する段差を備えた段差付き合成樹脂パイプを上記連結筒部中に圧入して固定し、段差付き合成樹脂パイプ中に内臓されたコイルバネを介し点火コイルの高圧端子に誘起された高電圧を点火プラグの頂部電極に供給する。段差付き合成樹脂パイプを使用する分、連結筒部を構成するゴムの肉厚を薄くできると共に、連結筒部の変形時の応力が段差付き合成樹脂パイプ内にかからないため上記パイプ内にノイズ低減用の抵抗を設けることが可能になる。更に、構成部品の点数を削減でき、組付ける作業性の向上や、材料コストの削減も達成できる。
【図面の簡単な説明】
【図１】本発明によるプラグソケットの第１実施例の断面図。
【図２】本発明によるプラグソケットの第２実施例の断面図。
【図３】従来のプラグソケットの断面図。
【符号の説明】
１１　　プラグ嵌合部
１２　　高圧筒嵌合部
１３　　連結筒部
１３ａ　連結筒部の大径部
１３ｂ　連結筒部の小径部
１４　　連結筒部の段差
１５　　段差付き合成樹脂パイプ
１５ａ　段差付き合成樹脂パイプの大径部
１５ｂ　段差付き合成樹脂パイプの小径部
１６　　段差付き合成樹脂パイプの段差
１７、１８、２０　　コイルバネ
１９　　ノイズ低減用抵抗
【図１】
2004022481.tif 000003
【図２】
2004022481.tif 000004
【図３】
2004022481.tif 000005